(57)【要約】【課題】自動製パン器における具材自動投入のメカニズムを簡明なものとし、操作性を向上させる。【解決手段】自動製パン器１は本体１０と蓋２０を備え、本体１０の内部には焼成室１１が設けられている。焼成室１１には製パン原料を入れたパン容器３０が入れられる。本体１０には、焼成室１１に隣接する箇所に具材バケット５０が配置される。具材バケット５０は水平な支持軸５１に固定されている。本体１０の上面には、具材バケットに具材Ｂを入れるための開口部５３と、それを閉ざす蓋５４が設けられている。制御部１８からの動作指令を受けて姿勢変更装置５２が支持軸５１を回転させると、具材バケット５０は具材Ｂを受け入れて保持する姿勢から具材Ｂをパン容器３０に投入する姿勢へ、またその逆へと姿勢変更する。【選択図】図１
2010000156.tif 000002
【特許請求の範囲】
【請求項１】
製パン原料を入れたパン容器を本体内の焼成室に受け入れ、前記製パン原料の混練工程、発酵工程、及び焼成工程を順次遂行する自動製パン器において、
前記本体には、前記焼成室に隣接する箇所に配置された具材バケットと、前記具材バケットの姿勢変更装置と、前記姿勢変更装置を動作させて前記具材バケット内の具材を前記パン容器に投入する制御部とが設けられていることを特徴とする自動製パン器。
【請求項２】
前記姿勢変更装置は、前記具材バケットを水平軸線まわりに回動させて、具材を受け入れて保持する姿勢から具材を前記パン容器に投入する姿勢へ、またその逆へと姿勢変更させることを特徴とする請求項１に記載の自動製パン器。
【発明の詳細な説明】
【技術分野】
【０００１】
本発明は、主として一般家庭で使用される自動製パン器に関する。
【背景技術】
【０００２】
市販の家庭用自動製パン器は、製パン原料を入れたパン容器を本体内の焼成室に入れ、パン容器内の製パン原料を回転羽根で混練して捏ね上げ、発酵工程を経た後、パン容器をそのままパン焼き型としてパンを焼き上げる仕組みのものが一般的である。加えて最近では、製パン原料にレーズンやナッツ等の具材を投入する仕組みを備えたものも多くなっている。そのような自動製パン器の例を特許文献１〜３に見ることができる。
【０００３】
特許文献１あるいは特許文献２記載の自動製パン器では、焼成室を開閉する蓋体に内蔵される形で、レーズン、ナッツ類、チーズ等の製パン副材料を投入する副材料投入手段が設けられている。
【０００４】
特許文献３記載の自動製パン器では、上蓋部の下面とパン型容器との間に収まるように具材容器を設ける。具材容器は、オーブン室に対して着脱される側枠と、この側枠に回動自在に軸支され、少なくとも底壁部を設けた開閉板とから構成される。
【特許文献１】特許第３１９１６４５号公報
【特許文献２】特許第３６６６４５２号公報
【特許文献３】特開２００６−２５５０７１号公報
【発明の開示】
【発明が解決しようとする課題】
【０００５】
特許文献１あるいは特許文献２記載の自動製パン器では、副材料投入手段が蓋体に内蔵されているため、蓋体の構造が複雑になる。また副材料投入手段に動力を伝える仕組みも複雑になる。特許文献３記載の自動製パン器は、必要ある毎に具材容器をセットする方式であるため、セッティングに手間がかかる。
【０００６】
本発明は上記の問題に鑑みなされたものであり、具材自動投入のメカニズムを簡明なものとし、操作性を向上させることを目的とする。
【課題を解決するための手段】
【０００７】
本発明は、製パン原料を入れたパン容器を本体内の焼成室に受け入れ、前記製パン原料の混練工程、発酵工程、及び焼成工程を順次遂行する自動製パン器において、前記本体には、前記焼成室に隣接する箇所に配置された具材バケットと、前記具材バケットの姿勢変更装置と、前記姿勢変更装置を動作させて前記具材バケット内の具材を前記パン容器に投入する制御部とが設けられていることを特徴としている。
【０００８】
この構成によると、具材バケットとその姿勢変更装置が本体側に設けられているから、機構的に強く、配線の設計が容易で、配線作業も楽である。また、具材投入のために特別なセッティングを行う必要がなく、操作性が良い。具材投入後に具材バケットを元の姿勢に戻すことも容易である。
【０００９】
また本発明は、上記構成の自動製パン器において、前記姿勢変更装置は、前記具材バケットを水平軸線まわりに回動させて、具材を受け入れて保持する姿勢から具材を前記パン容器に投入する姿勢へ、またその逆へと姿勢変更させることを特徴としている。
【００１０】
この構成によると、具材バケットの動きが単純であり、故障の少ないメカニズムとすることができる。
【発明の効果】
【００１１】
本発明によると、具材バケットとその姿勢変更装置を本体側に集中させたから、配線の設計が容易で、配線作業も楽になり、製造コストの低減を図ることができる。具材投入のために特別なセッティングを行う必要がなく、操作性が良い上、構造が簡素化されて堅牢なものとなる。
【発明を実施するための最良の形態】
【００１２】
以下、本発明の実施形態を図１及び図２に基づき説明する。図１は自動製パン器の垂直断面図、図２は図１と異なる状況を示す自動製パン器の垂直断面図である。なお、図において左側が自動製パン器の正面（前面）側、右側が自動製パン器の背面（後面）側である。
【００１３】
自動製パン器１は本体１０と本体の蓋２０を備える。本体１０の内部には上面が開口した焼成室１１が設けられ、この上面開口を蓋２０が閉ざす。焼成室１１にはパン容器３０が入れられる。
【００１４】
焼成室１１は水平断面矩形の周側壁１１ａと底壁１１ｂを備え、底壁１１ｂの焼成室中央にあたる箇所にはパン容器支持部１２が固定されている。パン容器支持部１２の内部は、底壁１１ｂに形成された開口部を通じ、焼成室１１側に露出する。パン容器支持部１２は、パン容器３０の底面に固定された筒状の台座３１をバヨネット結合で連結してパン容器３０を支える役割と、パン容器３０内の回転羽根３２に動力を伝える回転軸１３を支持する役割の両方を担う。パン容器支持部１２の下面から突き出した回転軸１３の下端にはプーリ１４が固定される。プーリ１４は底壁１１ｂの下面に固定されたモータ１５の出力軸プーリ１６にベルト１７で連結されている。
【００１５】
焼成室１１の周側壁１１ａの前面と本体１０の正面側外殻との間の空間には制御部１８が配置される。制御部１８は、焼成室１１の内側に配置した温度センサ１９からの信号と、後述する操作パネルから入力される指令を受けて、自動製パン器１の制御を行う。
【００１６】
蓋２０は自動製パン器１の背面側において本体１０に蝶番軸２１で連結され、蝶番軸２１を中心として垂直面内で回動する。蓋２０には、前端より少し後方に寄った位置に、透明合成樹脂のレンズをはめ込んだ覗き窓２０ａが設けられている。
【００１７】
本体１０の前面上部には操作パネル２２が配置される。操作パネル２２には、図示は省略するが、パンの種類（小麦粉パン、米粉パン、具材入りパンなど）の選択キー、調理内容の選択キー、タイマーキー、スタートキー、取り消しキーなどといった操作キー群と、設定された調理内容やタイマー予約時刻などを表示する表示部が設けられている。
【００１８】
パン容器３０はバケツのような形状をしており、口縁部には手提げ用のハンドル（図示せず）が取り付けられている。パン容器３０の水平断面形状は、四隅を丸めた矩形であり、その中心で回転羽根３２が回転する。回転羽根３２は、台座３１の中心に軸支された回転軸３３の上端の非円形断面部に単なるはめ込みで取り付けられており、工具を用いることなく着脱することができる。このため、異なる種類の回転羽根３２に容易に交換可能である。
【００１９】
回転軸３３は回転軸１３に連結され、回転軸１３より動力を伝達されるものであるが、その動力伝達手段としては台座３１に囲い込まれるカップリング３４が用いられる。すなわち、カップリング３４を構成する２部材のうち、一方は回転軸３３の下端に固定され、他方は回転軸１３の上端に固定される。
【００２０】
台座３１の外周面には、パン容器支持部１２の内周面に形成された突起３５ａと共に周知のバヨネット結合部を構成する突起３５ｂが形成されている。パン容器３０を、突起３５ａと３５ｂが干渉しない角度に保ちつつ、台座３１をパン容器支持部１２の中に落とし込み、パン容器３０をひねって突起３５ａの下に突起３５ｂを係合させれば、パン容器３０は上方に抜けなくなり、同時にカップリング３４の連結も達成される。パン容器３０のひねり方向は回転羽根３２の回転方向に一致させてあるので、回転羽根３２が回転してもパン容器３０が外れることはない。ここでは、パン容器３０のひねり方向と回転羽根３２の回転方向は、共に上から見て時計方向に設定されている。
【００２１】
焼成室１１の内部に配置された加熱装置４０がパン容器３０を包囲し、製パン原料を加熱する。加熱装置４０はシーズヒータ４１により構成される。シーズヒータ４１には耐熱ケーブル４２を通じて電流が供給される。
【００２２】
本体１０には、焼成室１１に隣接する箇所に、具材バケット５０が配置されている。実施形態では、制御部１８の上が具材バケット５０の配置箇所となっている。
【００２３】
具材バケット５０は紙面の奥行方向、すなわち自動製パン器１の正面から見て左右方向に延びる断面扇形の樋状部材である。具材バケット５０は扇の要の部分が水平な支持軸５１に固定されており、支持軸５１が回転することにより水平軸線まわりに回動する。
【００２４】
支持軸５１を回転させる姿勢変更装置５２も本体１０に設けられている。姿勢変更装置５２はギヤードモータにより構成される。
【００２５】
本体１０の上面には、具材バケットに具材Ｂを入れるための開口部５３と、それを閉ざす蓋５４が設けられている。蓋５４は後端に蝶番５５、前端につまみ５６を有し、つまみ５６に指を掛けて引き上げることにより開けることができる。
【００２６】
自動製パン器１における製パン作業の概要は次の通りである。なおここでは具材入りパンを焼くものとする。小麦粉、水、バターなどの製パン原料を入れたパン容器３０を焼成室１１に入れてパン容器支持部１２に取り付け、回転軸３３を回転軸１３に連結した後、蓋２０を閉じる。また蓋５３を開けて具材バケット５０に具材Ｂを入れ、蓋５３を閉じる。操作パネル２２よりパンの種類や調理内容の入力を行い、スタートキーを押すと、製パン作業が開始される。
【００２７】
製パン作業の最初は混練工程である。制御部１８はモータ１５を駆動して回転羽根３２を回転させ、また加熱装置４０に通電して焼成室１１の温度を上げる。回転羽根３２が回転するに従い製パン原料は混練され、粘度の高いパン生地（dough）に転じて行く。回転羽根３２がパン生地を振り回してパン容器３０の内壁にたたきつけることにより、混練に「捏ね」の要素が加わることになる。
【００２８】
制御装置１８は、所定のタイミングで姿勢変更装置５２に動作指令を出す。姿勢変更装置５２は支持軸５１を時計方向に回動させ、具材バケット５０を、具材Ｂを受け入れて保持する図１の姿勢から、図２の姿勢へと姿勢変更させる。具材バケット５０は、扇形をなす前板と後板のうち、後板の端がパン容器３０の縁に当たって傾いた状態で止まる。この状態で具材Ｂは後板の上を滑落し、パン生地Ａに投入される。パン生地Ａに投入された具材Ｂは、混練が進行するにつれパン生地Ａ内に練り込まれ、パン生地Ａの中に分散して行く。姿勢変更装置は、具材Ｂがパン生地Ａに投入された後、具材バケット５０を元の姿勢に復帰させる。
【００２９】
混練工程を終えたら発酵工程に移る。制御部１８は加熱装置４０の通電を制御して焼成室１１を所定の温度に維持し、製パン原料を発酵させる。
【００３０】
発酵工程後、制御部１８は所定の通電パターンで加熱装置４０に通電し、パン生地をパンに焼き上げる。操作パネル２２の表示部に製パン完了のサインが出るか、あるいは製パン完了の報知音があった後、使用者は蓋２０を開けてパン容器３０を取り出す。
【００３１】
具材バケット５０と姿勢変更装置５２が本体１０に設けられているから、自動製パン器１は機構的に強い。配線設計も配線作業自体も容易である。また、具材Ｂを投入した後に具材バケット５０を元の姿勢に戻し、パン容器３０の取り出しに邪魔にならないようにすることも容易である。姿勢変更装置５２は、具材バケット５０を水平軸線まわりに回動させて、具材Ｂを受け入れて保持する姿勢から具材Ｂをパン容器３０に投入する姿勢へ、またその逆へと姿勢変更させるものであるから、具材バケット５０の動きが単純であり、故障の少ないメカニズムとすることができる。
【００３２】
具材バケット５０は、滑落しないで残留する具材Ｂが生じないように、内面にフッ素樹脂加工を施して滑りを良くしておくのがよい。また、具材バケット５０が不衛生にならないよう、支持軸５１と姿勢変更装置５２を着脱の容易なカップリングで連結し、具材バケット５０を手軽に取り外して洗浄できるようにしておくとよい。
【００３３】
以上、本発明の実施形態につき説明したが、本発明の範囲はこれに限定されるものではなく、発明の主旨を逸脱しない範囲で種々の変更を加えて実施することができる。
【産業上の利用可能性】
【００３４】
本発明は、主として一般家庭で使用される自動製パン器に広く利用可能である。
【図面の簡単な説明】
【００３５】
【図１】自動製パン器の垂直断面図
【図２】図１と異なる状況を示す自動製パン器の垂直断面図
【符号の説明】
【００３６】
１    自動製パン器
１０  本体
１１  焼成室
１８  制御部
２０  蓋
３０  パン容器
４０  加熱装置
５０  具材バケット
５１  支持軸
５２  姿勢変更装置
【図１】
2010000156.tif 000003
【図２】
2010000156.tif 000004